【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】
画像データを入力する画像データ入力部と、
画像処理制御データを入力する画像処理制御データ入力部と、
前記画像データと前記画像処理制御データとを含む画像ファイルを生成する画像ファイル生成部と、
を備える画像ファイル生成装置。
【請求項２】
請求項１記載の画像ファイル生成装置であって、
前記画像処理制御データ入力部は、前記画像処理制御データを記録媒体を介して入力する、画像ファイル生成装置。
【請求項３】
請求項１記載の画像ファイル生成装置であって、
前記画像処理制御データ入力部は、前記画像処理制御データを通信を介して入力する、画像ファイル生成装置。
【請求項４】
請求項１乃至請求項３のいずれかに記載の画像ファイル生成装置であって、
前記画像処理制御データを編集する画像処理制御データ編集部を備える、
画像ファイル生成装置。
【請求項５】
請求項４記載の画像ファイル生成装置であって、
前記入力された画像処理制御データを記憶する画像処理制御データ記憶部を備え、
前記画像処理制御データ記憶部は、前記記憶された画像処理制御データを前記編集された画像処理制御データに更新して記憶する、画像ファイル生成装置。
【請求項６】
請求項４記載の画像ファイル生成装置であって、
前記入力された画像処理制御データを記憶する画像処理制御データ記憶部を備え、
前記画像処理制御データ記憶部は、前記編集された画像処理制御データを追加して記憶する、画像ファイル生成装置。
【請求項７】
請求項４記載の画像ファイル生成装置であって、
前記画像処理制御データは、複数のパラメータを含み、
前記画像処理制御データ編集部は、前記パラメータに所定の制約条件を有する、画像ファイル生成装置。
【請求項８】
画像データの生成条件を設定する生成条件設定部と、
前記設定された生成条件に基づいて、画像データを生成する画像データ生成部と、
前記画像データと前記設定された生成条件に対応する画像処理制御データとを含む画像ファイルを生成する画像ファイル生成部と、
を備える画像ファイル生成装置。
【請求項９】
画像データの生成条件を設定する生成条件設定部と、
画像処理内容を設定する画像処理内容設定部と、
前記設定された生成条件に基づいて、前記画像データを生成する画像データ生成部と、
前記生成された画像データと前記設定された画像処理内容に対応した画像処理制御データとを含む画像ファイルを生成する画像ファイル生成部と、
を備える画像ファイル生成装置。
【請求項１０】
画像データと第１の画像処理制御データとを含む画像ファイルを入力する画像ファイル入力部と、
第２の画像処理制御データを入力する画像処理制御データ入力部と、
前記画像データと前記第２の画像処理制御データとを含む画像ファイルを生成する画像ファイル生成部と、
を備える画像ファイル生成装置。
【請求項１１】
請求項１乃至請求項１０のいずれかに記載の画像ファイル生成装置であって、
前記画像処理制御データは、画像処理装置における画像処理に用いられるデータである、
画像ファイル生成装置。
【請求項１２】
請求項１乃至請求項１１のいずれかに記載の画像ファイル生成装置であって、
当該画像ファイル生成装置は、デジタルカメラである、
画像ファイル生成装置。
【請求項１３】
画像データと画像処理制御データとを含む画像ファイルを入力する画像ファイル入力部と、
前記画像処理制御データに基づいて、前記画像データに対して画像処理を行う画像処理部と、
を備える画像処理装置。
【請求項１４】
請求項１３記載の画像処理装置であって、
前記画像処理された画像データに基づいて、画像を出力する画像出力部を備える、
画像処理装置。
【請求項１５】
請求項１４記載の画像処理装置であって、
前記画像出力部は、前記画像を印刷する、
画像処理装置。
【請求項１６】
画像データを入力する工程と、
画像処理制御データを入力する工程と、
前記画像データと前記画像処理制御データとを含む画像ファイルを生成する工程と、
を含む画像ファイル生成方法。
【請求項１７】
画像データの生成条件を設定する工程と、
前記設定された生成条件に基づいて、画像データを生成する工程と、
前記画像データと前記設定された生成条件に対応する画像処理制御データとを含む画像ファイルを生成する工程と、
を含む画像ファイル生成方法。
【請求項１８】
画像データの生成条件を設定する工程と、
画像処理内容を設定する工程と、
前記設定された生成条件に基づいて、前記画像データを生成する工程と、
前記生成された画像データと前記設定された画像処理内容に対応した画像処理制御データとを含む画像ファイルを生成する工程と、
を含む画像ファイル生成方法。
【請求項１９】
画像データと第１の画像処理制御データとを含む画像ファイルを入力する工程と、
第２の画像処理制御データを入力する工程と、
前記画像データと前記第２の画像処理制御データとを含む画像ファイルを生成する工程と、
を含む画像ファイル生成方法。
【請求項２０】
画像データと画像処理制御データとを含む画像ファイルを入力する工程と、
前記画像処理制御データに基づいて、前記画像データに対して画像処理を行う工程と、
を含む画像処理方法。
【請求項２１】
画像データを入力する機能と、
画像処理制御データを入力する機能と、
前記画像データと前記画像処理制御データとを含む画像ファイルを生成する機能と、
をコンピュータに実現させるためのコンピュータプログラム。
【請求項２２】
画像データの生成条件を設定する機能と、
前記設定された生成条件に基づいて、画像データを生成する機能と、
前記画像データと前記設定された生成条件に対応する画像処理制御データとを含む画像ファイルを生成する機能と、
をコンピュータに実現させるためのコンピュータプログラム。
【請求項２３】
画像データの生成条件を設定する機能と、
画像処理内容を設定する機能と、
前記設定された生成条件に基づいて、前記画像データを生成する機能と、
前記生成された画像データと前記設定された画像処理内容に対応した画像処理制御データとを含む画像ファイルを生成する機能と、
をコンピュータに実現させるためのコンピュータプログラム。
【請求項２４】
画像データと第１の画像処理制御データとを含む画像ファイルを入力する機能と、
第２の画像処理制御データを入力する機能と、
前記画像データと前記第２の画像処理制御データとを含む画像ファイルを生成する機能と、
をコンピュータに実現させるためのコンピュータプログラム。
【請求項２５】
画像データと画像処理制御データとを含む画像ファイルを入力する機能と、
前記画像処理制御データに基づいて、前記画像データに対して画像処理を行う機能と、
をコンピュータに実現させるためのコンピュータプログラム。
【請求項２６】
請求項２１乃至２５のいずれかに記載のコンピュータプログラムをコンピュータ読み取り可能に記録した記録媒体。
【請求項２７】
画像ファイル生成装置に入力される画像処理制御データが記録されたコンピュータ読み取り可能な記録媒体であって、前記画像処理制御データは、
前記画像ファイル生成装置に当該記録媒体を介して入力され、
前記画像ファイル生成装置が、前記入力された画像処理制御データと画像データとを含む画像ファイルを生成する、
画像処理制御データが記録されたコンピュータ読み取り可能な記録媒体。